(57)【要約】【課題】部品点数や組込工数を低減することにより、コストを節約可能なディスクプレーヤを提供する。【解決手段】ディスクプレーヤのベースプレート１の裏面にリードスクリュー７、モータ３、ギヤユニット４を設ける。リードスクリュー７及びモータ３の間に、付勢部材５を設ける。付勢部材５は、ギヤユニット４内への固定用の固定部５ａと、リードスクリュー７の先端にスラスト荷重を与える第１の押え部５ｂと、モータ３のシャフト３ａ先端にスラスト荷重を与える第２の押え部５ｃとを、バネ性を有するプレートによって一体的に形成する。リードスクリュー７の他端を回動可能に支持する軸受部材９の外周に第１のテーパ面９ａを形成し、リードスクリュー７が挿入される軸穴内に第２のテーパ面９ｂを形成する。【選択図】図１
2008027578.tif 000002
【特許請求の範囲】
【請求項１】
ディスクの信号を検出する光学ピックアップを、リードスクリューに沿ってディスクの径方向に移動させる光学ピックアップ送り機構と、ディスクの搬入及び排出を行うディスクローディング機構とを有するディスクプレーヤにおいて、
前記光学ピックアップ送り機構と前記ディスクローディング機構とを駆動する駆動源が、単一のモータによって構成され、
前記光学ピックアップ送り機構及び前記モータは、ベースプレート上に設けられ、
前記モータの動力を前記光学ピックアップ送り機構及び前記ディスクローディング機構に選択的に伝達するギヤ機構が、前記ベースプレートとは別体の単一のユニット内に構成され、
前記ギヤ機構は、ベースプレート上に取り付けられていることを特徴とするディスクプレーヤ。
【請求項２】
前記リードスクリュー及び前記モータは、互いにベースプレート上における近傍に設けられ、
前記リードスクリュー及び前記モータのシャフトに対してスラスト荷重を加える単一の付勢部材が設けられ、
前記リードスクリューの端部が挿入された軸穴を有する軸受部材と、前記ベースプレート上に一体的に形成されるとともに前記軸受部材が挿入された挿入穴を有する支柱部とを備え、
前記軸受部材の外周における前記挿入穴との接触面には、前記軸受部材と前記挿入穴との軸を合わせる第１のテーパ面が形成され、前記軸受部材の軸穴における前記リードスクリューとの接触面には、前記軸受部材と前記リードスクリューとの軸を合わせる第２のテーパ面が形成されていることを特徴とする請求項１記載のディスクプレーヤ。
【請求項３】
前記リードスクリュー及び前記モータは、互いにベースプレート上における近傍に設けられ、
前記リードスクリュー及び前記モータのシャフトに対してスラスト荷重を加える単一の付勢部材が設けられ、
前記ユニットには、前記リードスクリューの軸受部及び前記モータの取付部が形成されるとともに、前記付勢部材が収容されていることを特徴とする請求項１記載のディスクプレーヤ。
【発明の詳細な説明】
【技術分野】
【０００１】
本発明は、円盤状記録媒体に記録された情報を再生するためのディスクプレーヤに係り、特に、内部の構成部品に改良を施したディスクプレーヤに関する。
【背景技術】
【０００２】
一般に、ＣＤやＤＶＤ等の円盤状記録媒体（以下、ディスクと呼ぶ）の記録・再生を行うディスク装置は、ターンテーブルとこれに装着されたディスクの記録再生を行う光学ピックアップ等を備えたディスク再生部、ディスク装置内へのディスクの搬入・排出を行うためのディスクローデング機構、ターンテーブル上にディスクを装着するディスククランプ機構等を有している。
【０００３】
このうち、ディスク再生部には、ベースプレート上に配設されたリードスクリューをモータによって回動させて、このリードスクリューに沿って光学ピックアップを移動させる光学ピックアップ送り機構が設けられている。リードスクリューは、一般的に、ベースプレートにネジ止めされた樹脂製等の軸受けによって回動可能に支持されている。また、リードスクリュー及びモータのシャフトには、それぞれの端部に当接してスラスト荷重を与えることによって、軸方向の逃げやガタ付きを防止して回動を安定させる付勢部材が、別々に設けられている。
【発明の開示】
【発明が解決しようとする課題】
【０００４】
ところで、上述のようなディスクプレーヤにおいては、一般的に、光学ピックアップ送り機構を駆動するモータとディスクローディング機構を駆動するモータとは別々に設けられ、モータの動力を伝達するためのギヤ、シャフト等の部材も多数必要となっていたので、部品点数の増大を招いていた。同様に、リードスクリュー及びモータにスラスト荷重を与える付勢部材が、それぞれ独立に設けられていたので、部品点数が多かった。
【０００５】
また、リードスクリューの軸受けは、ベースプレートにネジ止めされていたので、リードスクリューの位置決め精度の確保が面倒であった。特に、ネジ止め後の高さ精度を確保するための管理が必要となるとともに、締結部品に安定した品質が要求されていた。また、軸受けを安定して固定するためには、複数箇所をネジ止めする必要があるが、個々のネジ止めの度合いに応じて位置ずれが生じ易く、これによって高さ精度の確保はより一層困難となっていた。さらに、複数のネジを要するために部品点数の増大を招いていた。
【０００６】
本発明は、上記のような従来技術の問題点を解決するために提案されたものであり、その目的は、部品点数や組込工数を低減することにより、コストを節約できるディスクプレーヤを提供することにある。
【課題を解決するための手段】
【０００７】
上記の目的を達成するため、本発明は、ディスクの信号を検出する光学ピックアップを、リードスクリューに沿ってディスクの径方向に移動させる光学ピックアップ送り機構と、ディスクの搬入及び排出を行うディスクローディング機構とを有するディスクプレーヤにおいて、以下のような技術的特徴を有する。
【０００８】
すなわち、請求項１記載の発明は、前記光学ピックアップ送り機構と前記ディスクローディング機構とを駆動する駆動源が、単一のモータによって構成され、前記光学ピックアップ送り機構及び前記モータは、ベースプレート上に設けられ、前記モータの動力を前記光学ピックアップ送り機構及び前記ディスクローディング機構に選択的に伝達するギヤ機構が、前記ベースプレートとは別体の単一のユニット内に構成され、前記ギヤ機構は、ベースプレート上に取り付けられていることを特徴とする。
以上のような請求項１記載の発明では、単一のユニットをベースプレート上に取り付けるだけで、ディスクプレーヤにギヤ機構を組み付けることができるので、ベースプレート上に多数の軸を配設してこれにギヤを取り付ける場合に比べて、部品点数を大幅に削減し、組立てを容易化することができる。
【０００９】
請求項２記載の発明は、請求項１の発明において、前記リードスクリュー及び前記モータは、互いにベースプレート上における近傍に設けられ、前記リードスクリュー及び前記モータのシャフトに対してスラスト荷重を加える単一の付勢部材が設けられ、前記リードスクリューの端部が挿入された軸穴を有する軸受部材と、前記ベースプレート上に一体的に形成されるとともに前記軸受部材が挿入された挿入穴を有する支柱部とを備え、前記軸受部材の外周における前記挿入穴との接触面には、前記軸受部材と前記挿入穴との軸を合わせる第１のテーパ面が形成され、前記軸受部材の軸穴における前記リードスクリューとの接触面には、前記軸受部材と前記リードスクリューとの軸を合わせる第２のテーパ面が形成されていることを特徴とする。
以上のような請求項２記載の発明では、リードスクリューに対して、付勢部材によるスラスト荷重を加えることによって、軸受部材の第１のテーパ面及び第２のテーパ面によるリードスクリューの軸合わせを自動的に継続して維持することができる。
【００１０】
請求項３記載の発明は、請求項１の発明において、前記リードスクリュー及び前記モータは、互いにベースプレート上における近傍に設けられ、前記リードスクリュー及び前記モータのシャフトに対してスラスト荷重を加える単一の付勢部材が設けられ、前記ユニットには、前記リードスクリューの軸受部及び前記モータの取付部が形成されるとともに、前記付勢部材が収容されていることを特徴とする。
以上のような請求項３記載の発明では、ギヤ機構のユニットに、リードスクリューの軸受部及びモータの取付部が形成されているので、より一層部品点数を削減することができる。
【発明の効果】
【００１１】
以上説明したように本発明によれば、部品点数や組込工数を低減することにより、コストを節約可能なディスクプレーヤを提供することができる。
【発明を実施するための最良の形態】
【００１２】
（１）実施の形態の構成
本発明の実施の形態を図１〜５を参照して以下に説明する。すなわち、本実施の形態は、図１に示すように、ディスクプレーヤ内に設けられたベースプレート１の裏面に配設された光学ピックアップ送り機構２、モータ３、ギヤユニット４によって構成されている。
【００１３】
光学ピックアップ送り機構２は、ディスク信号検出用の光学ピックアップ６を、表面にネジが切られたリードスクリュー７と、これと平行に配設されたガイドレール８との間に配設したものであり、リードスクリュー７を回転させることによって光学ピックアップ６をディスクの径方向にスライド移動させることができる。モータ３は、リードスクリュー７の一端の近傍に配設され、後述するギヤユニット４内のギヤ群を介してリードスクリュー７に動力を伝達できるように構成されている。
【００１４】
ギヤユニット４内のリードスクリュー７及びモータ３の間には、付勢部材５が設けられている。この付勢部材５は、図２に示すように、ギヤユニット４内への固定用の固定部５ａと、リードスクリュー７の先端にスラスト荷重を与える第１の押え部５ｂと、モータ３のシャフト３ａ先端にスラスト荷重を与える第２の押え部５ｃとが、バネ性を有するプレートによって一体的に形成された部材である。
【００１５】
また、図３に示すように、リードスクリュー７の他端を回動可能に支持する軸受部材９は、断面が略凸形状の樹脂製円筒状部材であり、その外周には第１のテーパ面９ａが形成されている。そして、軸受部材９には、リードスクリュー７が挿入される軸穴内に、リードスクリュー７の先端が当接する第２のテーパ面９ｂが形成されている。一方、ベースプレート１と一体に立ち上げられた支柱部１ａには、軸受部材９が挿入される挿入穴１ｂが形成されている。
【００１６】
そして、この挿入穴１ｂに対して、軸受部材９を圧入する際には、第１のテーパ面９ａによって、挿入穴１ｂと軸受部材９の軸が自動的に合うように、第１のテーパ面９ａの傾斜角度が設定されている。さらに、軸受部材９の軸穴に対して、リードスクリュー７の先端を挿入する際には、第２のテーパ面９ｂによって、リードスクリュー７と軸受部材９の軸が自動的に合うように、第２のテーパ面９ｂの傾斜角度が設定されている。
【００１７】
また、ギヤユニット４は、図４及び図５に示すように、多数のギヤをギヤベース１０及びギヤカバー１１から成るギヤボックス１２内に収容したものである。ギヤベース１０は、各ギヤの軸となる複数のシャフト１０ａ、遊星ギヤ用のガイド孔１０ｂ，１０ｃ、リードスクリュー７の軸受部１０ｄ、図示しないローディングローラへ動力を伝達するためのギヤの軸受部１０ｅ、付勢部材５を取り付けるための突起１０ｆが、モールド一体成形によって形成された部材である。
【００１８】
かかるギヤベース１０上には、ガイド孔１０ｂ，１０ｃ内を移動可能な遊星ギヤ１３ｂ，１３ｃと、この遊星ギヤ１３ｂ，１３ｃの間に配設されたアイドラギヤ１３ａから成る切替ギヤ部１３が設けられている。この切替ギヤ部１３上には、図５に示すように、遊星ギヤ１３ｂ，１３ｃの軸を備え、アイドラギヤ１３ａと同軸に回動可能な小カバー１３ｄが取り付けられている。なお、切替ギヤ部１３の切替は、小カバー１３ｄを付勢することによって、遊星ギヤ１３ｂ，１３ｃをガイド孔１０ｂ，１０ｃに沿って移動させることによって行われるが、小カバー１３ｄを付勢する機構の詳細は省略する。
【００１９】
また、ギヤベース１０上には、モータ３の動力をアイドラギヤ１３ａに伝達するモータ側ギヤ部１４、切替ギヤ部１３の遊星ギヤ１３ｂを介してモータ３の動力をリードスクリュー７に伝達するスクリュー側ギヤ部１５、遊星ギヤ１３ｃを介してモータ３の動力をローディングローラに伝達するローラ側ギヤ部１６、遊星ギヤ１３ｂを介してモータ３の動力を図示しないディスククランプ機構等へ伝達するクランプ側ギヤ部１７が設けられている。
【００２０】
以上のようなギヤベース１０は、ベースプレート１上に嵌め付けられる。そして、付勢部材５の固定部５ａに形成された穴に、突起１０ｆを挿入するとともに、リードスクリュー７の端部を軸受部１０ｄによって支持する。
【００２１】
一方、ギヤカバー１１には、モータ３を固定するブラケット１１ａがモールド一体成形によって形成されている。このブラケット１１ａにモータ３をネジ等によって固定した後、上述の各ギヤ群及び各部材が配設されたギヤベース１０上に、ギヤカバー１１を取り付け、ギヤベース１０とともにベースプレート１上にネジ止めすることによって、ギヤユニット４がベースプレート上に固定される。このとき、付勢部材５とリードスクリュー７及びモータ３のシャフト３ａとは、上述の図２で示したように配置される。
【００２２】
なお、本実施の形態のディスクプレーヤにおいては、ベースプレート１の表側に、ディスククランプ機構、ディスクローディング機構、図１に示すスピンドルモータ１８によって駆動されるターンテーブル等が設けられているが、説明は省略する。
【００２３】
（２）実施の形態の作用効果
以上のような本実施の形態の作用効果を以下に説明する。すなわち、ディスク挿入・排出時には、切替ギヤ部１３の遊星ギヤ１３ｂ，１３ｃがそれぞれクランプ側ギヤ部１７、ローラ側ギヤ部１６側にあり、モータ３の駆動力がディスククランプ機構やローディングローラに伝達される。一方、ディスク再生時には、切替ギヤ部１３の遊星ギヤ１３ｂ，１３ｃがクランプ側ギヤ部１７及びローラ側ギヤ部１６から離れ、遊星ギヤ１３ｂがスクリュー側ギヤ部１５に切り替えられるので、モータ３の駆動力がリードスクリュー７に伝達され、これにより光学ピックアップ６がディスクの径方向に移動する。
【００２４】
リードスクリュー７の一端及びモータ３のシャフト３ａの先端には、それぞれ付勢部材５の第１の押え部５ｂ及び第２の押え部５ｃによってスラスト荷重が加えられているので、その回動が安定する。この付勢部材５は一体的に形成され、リードスクリュー７及びモータ３によって共用されているので、それぞれ別個に付勢部材５を備える場合に比べて、部品点数及び組込工数が削減され、製造コストを低減することができる。
【００２５】
リードスクリュー７の他端を支持する軸受部材９は、支柱部１ａの挿入穴１ｂに対して、その外周の第１のテーパ面９ａによって自動的に軸合わせを行うことができる。また、リードスクリュー７は、軸受部材９の内周の第２のテーパ面９ｂによって、自動的に軸合わせを行うことができる。そして、リードスクリュー７に加わる付勢部材５のスラスト荷重によって、かかる適切な位置決め状態を継続して維持することができる。
【００２６】
このように、第１のテーパ面９ａと第２のテーパ面９ｂとの相乗効果によって、リードスクリュー７の精度の高い位置決めを容易に行うことができる。特に、支柱部１ａはベースプレート１に一体的に形成されているので、ネジ止め等によるずれが生じ難く、高さ精度を確実に確保することができる。さらに、ネジが不要となるので、部品点数と組込工数をより一層低減することができる。
【００２７】
さらに、ギヤ軸等とともにモールド一体成形されたギヤユニット４を、ベースプレート１にネジ止めすることによって、全てのギヤを組み付けることができるので、ベースプレート１を、アウトサート成形等によってあらかじめギヤ軸を設ける特別な部品とする場合に比べて、部品点数を大幅に削減し、材料費、加工費を節約することができる。また、ベースプレート１へのギヤの取り付け作業も非常に容易となる。特に、リードスクリュー７の軸受部１０ｄやモータ３のブラケット１１ａ、付勢部材５の取り付け用突起１０ｆもモールド一体成形されているので、部品点数のさらなる削減と、取り付け作業の容易化を実現できる。
【００２８】
（３）他の実施の形態
本発明は、上記の実施の形態に限定されるものではなく、各部材の材質、大きさ、形状、数量等は適宜変更可能である。例えば、付勢部材５は、スラスト荷重を与えることができるバネ性を有する材質及び形状であれば、どのようなものであってもよい。軸受部材９も、リードスクリュー７との円滑性が十分に得られる材質であれば、どのようなものであってもよい。
【００２９】
また、ギヤユニット４におけるギヤの配置、数及び大きさ等は、設計の段階で適宜変更可能である。ギヤユニット４によって切り替え駆動される機構も、上記の実施の形態に限定されるものではない。例えば、ディスククランプ機構によるディスクの解放及び圧着とディスクローディング機構によるローディングローラのディスクの圧着及び解放を連動させるリンク機構を駆動する構成としてもよい。
【００３０】
さらに、本発明が適用されるディスク装置は、記録再生用のものであっても、再生専用のものであってもよく、円盤状の記録媒体のための装置であれば、どのような種類や大きさの記録媒体を対象とする装置であってもよい。
【図面の簡単な説明】
【００３１】
【図１】本発明のディスクプレーヤの一つの実施の形態を示す平面図である。
【図２】図１の実施の形態における付勢部材を示す斜視図である。
【図３】図１の実施の形態における軸受部材を示す縦断面図である。
【図４】図１の実施の形態におけるギヤユニットの内部構成を示す平面図である。
【図５】図４のギヤユニットのＡ方向分解側面図である。
【符号の説明】
【００３２】
１…ベースプレート
１ａ…支柱部
１ｂ…挿入穴
２…光学ピックアップ送り機構
３…モータ
３ａ…シャフト
４…ギヤユニット
５…付勢部材
５ａ…固定部
５ｂ…第１の押え部
５ｃ…第２の押え部
６…光学ピックアップ
７…リードスクリュー
８…ガイドレール
９…軸受部材
９ａ…第１のテーパ面
９ｂ…第２のテーパ面
１０…ギヤベース
１０ａ…シャフト
１０ｂ，１０ｃ…ガイド孔
１０ｄ，１０ｅ…軸受部
１０ｆ…突起
１１…ギヤカバー
１１ａ…ブラケット
１２…ギヤボックス
１３…切替ギヤ部
１３ａ…アイドラギヤ
１３ｂ，１３ｃ…遊星ギヤ
１３ｄ…小カバー
１４…モータ側ギヤ部
１５…スクリュー側ギヤ部
１６…ローラ側ギヤ部
１７…クランプ側ギヤ部
１８…スピンドルモータ
【図１】
2008027578.tif 000003
【図２】
2008027578.tif 000004
【図３】
2008027578.tif 000005
【図４】
2008027578.tif 000006
【図５】
2008027578.tif 000007